(57)【要約】【課題】より効果的なイルミネーションを有する表示装置及びイルミネーション制御方法を提供することを主たる目的とする。【解決手段】ユーザによる電源オン動作が行われる（ステップ４０１）。制御部は、テレビジョン放送受信装置をオン状態とさせるための電源オン信号を出力する（ステップ４０２）。電源オン信号が出力されてからの所定時間をカウントする（ステップ４０３）。カウントが終了すると、ＰＷＭ制御部はＰＷＭ制御信号を後段の積分回路に出力する（ステップ４０４）。積分回路によるＰＷＭ制御信号の遅延によって、スイッチ素子は徐々にオン状態へと移行する。ＬＥＤユニット内のＬＥＤ素子に流れる電流はゆっくりと増加し、それに合わせてＬＥＤ素子もゆっくりと明るくなる。当該ＬＥＤ素子の光によって、ロゴ部が照らされてゆっくりと明るくなる（ステップ４０５）。【選択図】図４
2010055073.tif 000002
【特許請求の範囲】
【請求項１】
映像表示部と、
前記映像表示部を収容する筐体に設けられたイルミネーションと、
前記筐体に設けられ、電源状態がオフであることを示す第１の態様と、電源状態がオンであることを示す第２の態様とを有する電源インジケータと、
前記電源状態がオフからオンへと遷移して、前記第１の態様から前記第２の態様に遷移する前記電源インジケータとタイミングがずれて点灯するように前記イルミネーションを制御するイルミネーション制御部とを備え、
前記イルミネーション制御部は、
前記電源状態がオンからオフへと遷移するに伴い、前記イルミネーションを消灯するよう制御することを特徴とする表示装置。
【請求項２】
前記イルミネーション制御部は、
前記電源状態がオンの状態時において、前記イルミネーションが点灯しない期間を有するよう前記イルミネーションを制御することを特徴とする請求項１に記載の表示装置。
【請求項３】
前記電源状態を操作する操作手段をさらに備え、
前記イルミネーション制御部は、
前記操作手段による前記電源状態の操作に応じて、前記イルミネーションの点灯または消灯の少なくとも一方を制御することを特徴とする請求項１に記載の表示装置。
【請求項４】
前記イルミネーション制御部は、
前記電源状態がオンの状態において、前記イルミネーションの輝度が動的に変化するよう制御することを特徴とする請求項１に記載の表示装置。
【請求項５】
前記電源インジケータは、
待機状態であることを示す第３の態様をさらに有し、
前記イルミネーション制御部は、
前記インジケータが前記第２の態様から前記第３の態様へ遷移するに伴い、前記イルミネーションの輝度が低くなるよう制御することを特徴とする請求項１に記載の表示装置。
【請求項６】
前記イルミネーション制御部は、
前記電源状態がオンの状態において、前記イルミネーションを点滅制御することを特徴とする請求項１に記載の表示装置。
【請求項７】
前記イルミネーション制御部は、前記イルミネーションが点灯する際に、徐々に明るくなるように前記イルミネーションを制御することを特徴とする請求項１に記載の表示装置。
【請求項８】
前記イルミネーション制御部は、前記電源インジケータが前記第２の態様に遷移した後であって、前記映像表示部に映像が表示される前に点灯し始めるように前記イルミネーションを制御することを特徴とする請求項１に記載の表示装置。
【請求項９】
前記イルミネーション制御部は、前記電源インジケータが前記第２の態様に遷移した後であって、前記映像表示部に映像が表示された後に点灯し始めるように前記イルミネーションを制御することを特徴とする請求項１に記載の表示装置。
【請求項１０】
イルミネーションと電源状態を示す電源インジケータとを備える装置のイルミネーション制御方法であって、
ユーザの操作に応じて電源状態がオンとなり、これに伴って前記電源状態がオンであることを示すように前記電源インジケータが点灯するステップと、
前記電源インジケータが点灯するのとタイミングがずれて前記イルミネーションが点灯するステップと、
ユーザの操作に応じて電源状態がオフとなり、これに伴って前記電源状態がオフであることを示すように前記電源インジケータが消灯するステップと、
前記電源インジケータが消灯するのに伴い、前記イルミネーションが消灯するステップと、
を有することを特徴とするイルミネーション制御方法。
【発明の詳細な説明】
【技術分野】
【０００１】
この発明は、イルミネーションを有する表示装置及びイルミネーション制御方法に関する。
【背景技術】
【０００２】
例えばテレビジョン放送受信装置の中には、特許文献１に示すように、映像を表示するディスプレイ部の周囲に社名等を示すイルミネーションを設け、当該イルミネーションが点灯するようにした機種がある。かかるイルミネーションによる光の装飾によって、ユーザは当該装飾を楽しむことが出来るし、購買者に対して訴求効果を得ることが出来る。
【０００３】
また、テレビジョン放送受信装置等の電子装置では、電源状態がオンやオフであることを示す電源インジケータ（パワーインジケータ）を備えるのが通常であり、ユーザはこの電源インジケータの色を視認することで、当該装置の電源状態を認識することができる。
【先行技術文献】
【特許文献】
【０００４】
【特許文献１】特開２００６−３０３１３号公報
【発明の概要】
【発明が解決しようとする課題】
【０００５】
ところで、上記特許文献１には、下透明部材の入光部との間にレンズシート及び拡散シートが挿入されること等が開示され、つまりはイルミネーションの物理的な構成について開示されている。
【０００６】
しかしながら、点灯させるタイミングや点灯状態の変え方など、イルミネーションの光らせ方についてはこれまで十分な検討が成されていなかった。また、電源イルミネーションとイルミネーションの区別も明確でないということがあった。
【０００７】
そこで本発明は、ユーザや購買者に対してより効果的なイルミネーションを有する表示装置及びイルミネーション制御方法を提供することを主たる目的とする。
【課題を解決するための手段】
【０００８】
本発明は上記課題に鑑みてなされたものであり、その主な特徴は以下のとおりである。すなわち、本発明の表示装置は、映像表示部と、前記映像表示部を収容する筐体に設けられたイルミネーションと、前記筐体に設けられ、電源状態がオフであることを示す第１の態様と、電源状態がオンであることを示す第２の態様とを有する電源インジケータと、前記電源状態がオフからオンへと遷移して、前記第１の態様から前記第２の態様に遷移する前記電源インジケータとタイミングがずれて点灯するように前記イルミネーションを制御するイルミネーション制御部とを備え、前記イルミネーション制御部は、前記電源状態がオンからオフへと遷移するに伴い、前記イルミネーションを消灯するよう制御することを特徴とする。
【０００９】
また、本発明のイルミネーション制御方法は、イルミネーションと電源状態を示す電源インジケータとを備える装置のイルミネーション制御方法であって、ユーザの操作に応じて電源状態がオンとなり、これに伴って前記電源状態がオンであることを示すように前記電源インジケータが点灯するステップと、前記電源インジケータが点灯するのとタイミングがずれて前記イルミネーションが点灯するステップと、ユーザの操作に応じて電源状態がオフとなり、これに伴って前記電源状態がオフであることを示すように前記電源インジケータが消灯するステップと、前記電源インジケータが消灯するのに伴い、前記イルミネーションが消灯するステップと、を有することを特徴とする。
【発明の効果】
【００１０】
本発明では、電源インジケータとイルミネーションとの点灯タイミングを同時ではなく、ずらしている。従って、電源インジケータとイルミネーションを明確に区別することができる。
【図面の簡単な説明】
【００１１】
【図１】本実施形態に係るテレビジョン放送受信装置の外観を説明するための図である。
【図２】本実施形態に係るテレビジョン放送受信装置の主要な信号処理系を示す図である。
【図３】本実施形態に係るイルミネーション１１９の点灯制御のための構成例を概略的に示すブロック図である。
【図４】本実施形態に係るテレビジョン放送受信装置のイルミネーションの点灯動作を示すフローチャート図である。
【図５】本実施形態に係るテレビジョン放送受信装置のイルミネーションの点灯動作を示すタイミングチャート図である。
【発明を実施するための形態】
【００１２】
以下、この発明の最良の実施形態について、図面を参照しながら説明する。図１は、以下の実施形態で説明するテレビジョン放送受信装置１１１の外観の一例を概略的に示している。
【００１３】
すなわち、テレビジョン放送受信装置１１１は、主として、薄型の筐体（以下、キャビネット１１２）と、このキャビネット１１２を起立させて支持する支持台１１３とから構成されている。なお、支持台１１３を含めてキャビネットと称してもよい。そして、キャビネット１１２には、例えば液晶表示パネルやプラズマパネル等を備えた平面パネル型ディスプレイである映像表示器１１４、一対のスピーカ１１５、操作部１１６、リモートコントローラ１１７から送信される操作情報を受けるリモコン受光部１１８等が設置されている。なお、操作部１１６は、キャビネット１１２の前面ではなく側面に配置されていても構わない。
【００１４】
また、キャビネット１１２の前面ほぼ中央であって、映像表示器の１１４下部にはイルミネーション１１９が設けられている。イルミネーション１１９には、例えば社名や機種名を示す文字や記号（ロゴ部）が設けられており、後述するように例えばＬＥＤライトを光源としている。なお、イルミネーション１１９は、文字や記号以外に様々な模様が含んで構成されていてもよい。
【００１５】
また、図１に示すキャビネット１１２の右下部には、当該テレビジョン放送受信装置１１１の電源状態を示す電源インジケータ１２０がリモコン受光部１１８と隣り合って設けられている。電源インジケータ１２０も例えばＬＥＤを光源としている。なお、電源インジケータ１２０がリモコン受光部１１８と隣り合って設けられていない構成でもよく、その配置は任意である。
【００１６】
図２は、テレビジョン放送受信装置１１１の主要な信号処理系の一例を示している。すなわち、ＢＳ／ＣＳデジタル放送受信用のアンテナ２４３で受信した衛星デジタル放送信号は、入力端子２４４を介して衛星デジタル放送用のチューナ２４５に供給されることにより、所望のチャンネルの放送信号が選局される。
【００１７】
そして、このチューナ２４５で選局された放送信号は、ＰＳＫ（Phase Shift Keying）復調器２４６に供給されてＴＳ(Transport Stream)が復調される。このＴＳは、ＴＳ復号器２４７に供給されてデジタルの映像信号、音声信号、データ信号等に復号化された後、信号処理部２４８に出力される。
【００１８】
また、地上波放送受信用のアンテナ２４９で受信した地上デジタルテレビジョン放送信号は、入力端子２５０を介して地上デジタル放送用のチューナ２５１に供給されることにより、所望のチャンネルの放送信号が選局される。
【００１９】
そして、このチューナ２５１で選局された放送信号は、ＯＦＤＭ（Orthogonal Frequency Division Multiplexing）復調器２５２に供給されてＴＳが復調される。このＴＳは、ＴＳ復号器２５３に供給されてデジタルの映像信号、音声信号、データ信号等に復号化された後、上記信号処理部２４８に出力される。
【００２０】
なお、地上波放送受信用のアンテナ２４９で受信した地上アナログテレビジョン放送信号は、入力端子２５０を介して地上アナログ放送用のチューナ（不図示）に供給されることにより、所望のチャンネルの放送信号が選局される。そして、このチューナで選局された放送信号は、アナログ復調器（不図示）に供給されてアナログの映像信号及び音声信号に復調された後、上記信号処理部２４８に出力される。
【００２１】
そして、信号処理部２４８は、テレビ視聴時には、ＴＳ復号器２４７およびＴＳ復号器２５３からそれぞれ供給されたデジタルの映像信号及び音声信号に対して、選択的に所定のデジタル信号処理を施し、グラフィック処理部２５４及び音声処理部２５５に出力している。
【００２２】
制御部２６１には、信号処理部２４８やＴＳ復号器２４７，２５３から、番組を取得するための各種データや電子番組ガイド（ＥＰＧ）情報，番組属性情報（番組ジャンル等），字幕情報等（サービス情報、ＳＩやＰＳＩ）が入力されている。制御部２６１は、これら入力された情報からＥＰＧ，字幕を表示するため画像生成処理を行い、この生成した画像情報をグラフィック処理部２５４へ出力する。
【００２３】
グラフィック処理部２５４は、信号処理部２４８から供給されるデジタルの映像信号にＯＳＤ（On Screen Display）信号生成部２５７で生成されるＯＳＤ信号を重畳して出力する機能を有する。また、このグラフィック処理部２５４は、信号処理部２４８の出力映像信号と、ＯＳＤ信号生成部２５７の出力ＯＳＤ信号とを選択的に出力することや、両出力をそれぞれ画面の半分を構成するように組み合わせて出力することができる。
【００２４】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００２５】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。また、テレビジョン放送受信装置１１１は、現在時刻を計測する時計２８０を備えている。
【００２６】
ここで、このテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から前記受光部１１８を介して受信した操作情報を受けて、その操作内容が反映されるように各部をそれぞれ制御している。
【００２７】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、オンタイマー時刻や各種の設定情報及び制御情報等が格納される不揮発性メモリ２６１ｃとを利用している。
【００２８】
また、制御部２６１には電源制御部２６１ｄが含まれている。電源制御部２６１ｄは、ユーザの操作部１１６やリモートコントローラ１１７の操作に応じて、テレビジョン放送受信装置１１１の電源状態を制御するとともに、電源インジケータ１２０の点灯／消灯を制御する。具体的には以下に説明するように、電源インジケータ１２０の点灯／消灯を制御する。すなわち、操作部１１６に設けられた主電源ボタンを押すと、電源「入」の状態（オン状態）となり、電源インジケータ１２０が例えば緑色に点灯する。なお、オン状態になったとしても、起動時間が必要なため即座には映像表示がされない。つまり、パネル電源や種々の信号処理回路が立ち上がるための起動時間（例えば５秒程度）の経過後に映像表示器１１４に所定の映像が表示されたり、スピーカ１１５から音声が出力される。もう一度主電源ボタンを押すと、電源「切」の状態となり、映像表示や音声出力が止まるとともに、電源インジケータ１２０は消灯する。
【００２９】
また、電源「入」の状態で、リモートコントローラ１１７の電源ボタンを押すと、映像表示や音声出力が止まるとともに、電源インジケータ１２０が緑色から赤色や黄色等に変化し、一部の内部回路のみが動作したいわゆる待機状態となる。さらに、待機状態で、リモートコントローラ１１７の電源ボタンを押すと、電源インジケータ１２０が赤色から緑色に変化し、映像表示器１１４に所定の映像が表示されるとともに音声出力される。なお、本実施形態では、映像や音声が出力される状態を電源オン状態（動作状態）とし、映像や音声が出力されない状態を電源オフ状態とする。電源オフ状態には、主電源が入っていない状態だけに限らず、上記待機状態（本実施形態では、リモートコントローラ１１７の電源ボタンでテレビジョン放送受信装置１１１の電源を切った状態）も含むとする。このように電源インジケータ１２０は、電源状態がオフであることを示す態様（上記例では、消灯、赤、黄）と電源状態がオンであることを示す態様（上記例では、緑）とを有している。
【００３０】
また、制御部２６１にはイルミネーション制御部２６１ｅが含まれている。イルミネーション制御部２６１ｅは、イルミネーション１１９の点灯／消灯を制御する。
図３はイルミネーション制御部２６１ｅによるイルミネーション１１９の点灯制御のための構成例を概略的に示すブロック図である。
イルミネーション制御部２６１ｅは、ＰＷＭ（Pulse Width Modulation）制御部３０１を含んで構成されている。ＰＷＭ制御部３０１はＰＷＭ制御信号を生成し、電源状態がオフからオンに変化した後（オン状態になった後）から所定時間だけタイミングがずれて当該ＰＷＭ制御信号を後段の積分回路３０２へ出力する。なお、ここでいう所定時間は予め不揮発性メモリ２６１ｃなどの記録媒体に記録されており、例えばその時間分だけ発振回路（不図示）がカウントする。そして、発信回路による所定時間のカウントが終了した後にＰＷＭ制御部３０１からＰＷＭ制御信号が出力されるように構成されている。テレビジョン放送受信装置１１１は、電源状態がオンになり、種々の信号処理回路やパネル電源等が立ち上がることで映像や音声が出力されるが、電源状態がオンになった直後から映像が映し出されるまでには上記のとおり起動時間を要する。当該起動時間が例えば５秒であるとすれば、発振回路による５秒のカウントの後にＰＷＭ制御信号が出力されるように構成される。
【００３１】
積分回路３０２は、遅延回路として配置され、入力されたＰＷＭ制御信号を時間で積分して後段のスイッチ素子３０３に出力する。なお、積分回路３０２としては、例えばＲＣ回路を用いる。
【００３２】
スイッチ素子３０３は、入力されたＰＷＭ制御信号に応じてスイッチング動作を行い、これによってＬＥＤユニット３０４への電源供給と電源供給停止を制御する。なお、スイッチ素子３０３としては、トランジスタ素子を用いることができ、積分回路３０２を介して入力されるＰＷＭ制御信号に応じてスイッチング動作を行う。なお、積分回路３０２やスイッチ素子３０３などを含めてイルミネーション制御部２６１ｅと称することも出来る。
【００３３】
ＬＥＤユニット３０４には、幾つかのＬＥＤ素子が備えられており、電源供給によって点灯する。ロゴ部３０５は、透明なアクリル樹脂材料等から成り、社名や機種名を示す文字や記号、模様等が印刷されて施されている。
【００３４】
また、イルミネーション制御部２６１ｅは、ユーザ操作に応じてイルミネーション１１９の点灯を常にオフするように制御する。すなわち、映画等の暗い映像を視聴する際であって、イルミネーション１１９が点灯していることをユーザが望まないときには、リモートコントローラ１１７等で映像表示器１１４上にメニュー画面を表示し、当該メニュー画面を操作することで、イルミネーション１１９のオフ設定の選択が可能である。このように本実施形態では、電源オン状態においてイルミネーション１１９が点灯するオンモードと、電源オン状態においてイルミネーション１１９が点灯しないオフモードをユーザ操作に応じて選択できる。なお、オンモードでは、通常よりも低い輝度でイルミネーション１１９を点灯させるモードを更に設けることもできる。
【００３５】
また、本実施形態では、テレビジョン放送受信装置１１１の待機状態において、電源インジケータ１２０は点灯色を例えば赤色に変えて点灯し続けるが、イルミネーション１１９は消灯する。
【００３６】
次に、本実施形態に係るテレビジョン放送受信装置１１１のイルミネーション１１９の点灯動作について、図４のフローチャート及び図５のタイミングチャートを参照して説明する。
【００３７】
まず、ユーザの操作部１１６やリモートコントローラ１１７による電源オン動作（例えば、操作部１１６に設けられた主電源ボタンを押す、あるいは待機状態でリモートコントローラ１１７の電源ボタンを押す）が行われる（ステップ４０１）。
【００３８】
そうすると、制御部２６１は、テレビジョン放送受信装置１１１をオン状態とさせるための制御信号（電源オン信号）を液晶パネルや種々の信号処理回路に出力する（ステップ４０２）。当該電源オン信号が供給されることによって、液晶パネルや信号処理回路は動作を開始し、映像出力や音声出力のための処理が実行される。なお、この電源オン信号が出力されると同時にテレビジョン放送受信装置１１１はオン状態となり、電源インジケータ１２０の色が例えば緑色に点灯する（図５（ａ）（ｂ）参照）。なお、電源インジケータ１２０は点灯するがこの時点で、イルミネーション１１９はまだ点灯しない。
【００３９】
次に、電源オン信号が出力してからの所定時間を発振回路（不図示）がカウントする（ステップ４０３）。そして、不揮発性メモリ２６１ｃ等に記憶された所定時間に相当するカウントが終了すると、ＰＷＭ制御部３０１はＰＷＭ制御信号を後段の積分回路３０２に出力する（ステップ４０４）。つまり、電源がオン状態になってから予め設定された所定時間だけタイミングがずれてＰＷＭ制御信号が後段の積分回路３０２へ供給される。これにより、電源インジケータ１２０とイルミネーション１１９との点灯タイミングがずれる。
【００４０】
そして、積分回路３０２によるＰＷＭ制御信号の遅延によって、スイッチ素子３０３は徐々にオン状態へと移行する。このため、ＬＥＤユニット４０４内のＬＥＤ素子に流れる電流はゆっくりと増加し、これに合わせてＬＥＤ素子もゆっくりと明るくなり、その後一定の明るさとなる。そして、当該ＬＥＤ素子の光によって、ロゴ部３０５が照らされてゆっくりと明るくなる（ステップ４０５）。こうして、目的の装飾効果を得る事ができる。
【００４１】
なお、テレビジョン放送受信装置１１１がオン状態になった直後から映像が映し出されるまでの起動時間が例えば５秒であり、当該起動時間と同じ時間（５秒）のカウントの後にＰＷＭ制御信号が出力されるように構成されている場合には、映像表示がなされるとほぼ同時にイルミネーション１１９が点灯する。このように、映像表示が成されるとほぼ同時に、あるいは映像が暗い状態からゆっくりと明るくなるのに合わせてイルミネーション１１９が点灯する（図５（ｃ）（ｄ）。従って、電源インジケータとイルミネーションが別のタイミングで点灯して、電源状態を示すことを目的とする電源インジケータと装飾効果を目的とするイルミネーションとを明確に区別することができる。また、映像表示がされていないのにイルミネーション１１９が点灯しているといった違和感をユーザに与えることが無い。なお、図５（ｃ）では、映像表示が起動時間経過後に暗い映像から徐々に明るくなるように遷移する状況を示している。また、図５（ｄ）~（ｆ）では、イルミネーションが所定時間経過後に徐々に明るくなるように点灯する状況を示している。
【００４２】
なお、発振回路を用いて時間でタイミングをとるのではなく、例えば液晶ＴＶの場合にはバックライトが点灯された時点であり、かつパネルへ映像信号が供給された時点でイルミネーション制御部２６１ｅがＰＷＭ制御信号の出力を制御し、イルミネーション１１９の点灯制御がなされる構成でもよい。すなわち、映像表示がなされることを制御部２６１で検知し、この検知に基づいてイルミネーション１１９の点灯制御がなされる構成も可能である。かかる構成では、映像表示がなされるとほぼ同時にイルミネーション１１９が点灯し始める。このように、発振回路を用いたり、映像表示の検知を用いるなど、イルミネーション１１９の点灯制御は様々な態様が考えられる。
【００４３】
なお、イルミネーション１１９の輝度のレベルは、操作メニュー画面上等においてユーザの好みに応じて設定変更できてもよい。
また、起動時間が例えば５秒であり、当該起動時間よりも短い時間（例えば４秒）のカウントの後にＰＷＭ制御信号が出力されるように構成されている場合には、映像表示がなされる前にイルミネーション１１９が点灯動作を開始し、映像表示が成される前にイルミネーション１１９が点灯する。このように、映像表示される前にイルミネーション１１９を点灯し始めるように構成することもできる（図５（ｃ）（ｅ）参照）。かかる構成では、映像表示がされる前にイルミネーションが点灯するが、オン状態となってから一定期間経過後にイルミネーションが点灯動作を開始するため、映像表示がされていないのにイルミネーションが点灯しているといった違和感は低減される。
【００４４】
また、起動時間が例えば５秒であり、当該起動時間よりも長い時間（例えば６秒）のカウントの後にＰＷＭ制御信号が出力されるように構成されている場合には、映像表示がなされた後にイルミネーション１１９が点灯動作を開始する。このように、映像表示がなされた後にイルミネーション１１９を点灯し始めるように構成することもできる（図５（ｃ）（ｆ）参照）。従って、映像表示がされていないのにイルミネーションが点灯しているといった違和感をユーザに与えることが無い。
【００４５】
また、ユーザ操作によってイルミネーション１１９がオフに設定されている場合には、電源状態の如何に関わらず、イルミネーション１１９は常時点灯しない（図５（ｇ）参照）。
【００４６】
以上説明したように本実施形態では、電源インジケータとイルミネーションとの点灯タイミングをずらしている。そのため、イルミネーションは電源状態を示す電源インジケータとは明確に区別され、映像表示がされていないのにイルミネーションが点灯しているといった違和感をユーザに与えることが無い。また、イルミネーション１１９のオフ設定を設けることで、家庭で映画等の暗いシーンを見たいときなどにユーザがイルミネーションの点灯を希望しないときでも、ユーザは容易にイルミネーションをオフに設定できる。そして、ユーザはイルミネーション１１９が目障りになったり、眩しく感じることが無くなるため、映像の鑑賞に集中することが出来る。
【００４７】
また、本実施形態では、イルミネーションが暗い状態から徐々に明るくなるように構成されているため、映像を映し出す感じを邪魔するが無く、視聴者に違和感を与えない。
【００４８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、上記実施形態では、ＰＷＭ制御部３０１及び積分回路３０２の構成によって、点灯動作の際にはイルミネーション１１９が徐々に明るくなるように構成されていたが、積分回路３０２を設けずに立ち上がりスピードを早くし、電源オン状態から所定時間経過にイルミネーション１１９がすばやく明るくなるように構成することも可能である。また、上記実施形態では、イルミネーション１１９の点灯動作後、明るさが一定なっているが、電源オン状態の際にイルミネーション１１９の明るさを動的に変化させることも可能である。また、イルミネーションや電源インジケータの点灯色は使用する発効素子により変えることが可能である。
【００４９】
また、上記実施形態では待機状態においてイルミネーション１１９はオフ状態であったが、待機状態においてイルミネーション１１９を点灯させてもよく、あるいは通常よりも輝度が低いモードを設けるなどしてもよい。また、電源オン状態においてイルミネーション１１９を点滅させるように構成することも可能である。
【符号の説明】
【００５０】
１１１…テレビジョン放送受信装置、１１２…キャビネット、１１３…支持台、１１４…映像表示器、１１５…スピーカ、１１６…操作部、１１７…リモートコントローラ、１１８…受光部、１１９…イルミネーション、１２０…電源インジケータ、２４３…アンテナ、２４４…入力端子、２４５…チューナ、２４６…ＰＳＫ復調器、２４７…ＴＳ復号器、２４８…信号処理部、２４９…アンテナ、２５０…入力端子、２５１…チューナ、２５２…ＯＦＤＭ復調器、２５３…ＴＳ復号器、２５４…グラフィック処理部、２５５…音声処理部、２５７…ＯＳＤ信号生成部、２５８…映像処理部、２５９…出力端子、２６０…出力端子、２６１…制御部、２６１ａ…ＲＯＭ、２６１ｂ…ＲＡＭ、２６１ｃ…不揮発性メモリ、２６１ｄ…電源制御部、２６１ｅ…イルミネーション制御部、３０１…ＰＷＭ制御部、３０２…積分回路、３０３…スイッチ素子、３０４…ＬＥＤユニット、３０５…ロゴ部
【図１】
2010055073.tif 000003
【図２】
2010055073.tif 000004
【図３】
2010055073.tif 000005
【図４】
2010055073.tif 000006
【図５】
2010055073.tif 000007